(57)【特許請求の範囲】
【請求項１】
凝縮器(30)を空冷するファンモータ(40)を基台(18)へ固定するファンモータの取付構造であって、
前記ファンモータ(40)が取り付けられ、前記凝縮器(30)の背面側に前面を当接させて該凝縮器(30)に配設されるシュラウド(42)と、
前記シュラウド(42)の左右両側縁から外側方へ延出する側端片(46)を有し、一方の側端片(46)の後面側には冷媒から水分を除去するドライヤー(51)を取り付け可能であり、また他方の側端片(46)の後面側には冷凍機構(17)中に冷媒をチャージするためのチャージポート(52)を取り付け可能な取付部(50)とを備え、
前記シュラウド(42)が配設された状態で、前記凝縮器(30)を基台(18)に固定するようにした
ことを特徴とするファンモータの取付構造。
【発明の詳細な説明】
【技術分野】
【０００１】
本発明は、凝縮器を空冷するファンモータを基台に取り付けるための取付構造に関するものである。
【背景技術】
【０００２】
図７に示す如く、製氷機１０は、略箱形をなす筐体１１の内部を上下に区画して、上方に貯氷室１４を画成すると共に、該貯氷室１４の下方に冷凍機構１７が設置される機械室１６を画成している。そして、貯氷室１４の内部上方に製氷機構１５が配設され、該製氷機構１５で製造された角氷Ｉを貯氷室１４内に貯留するようになっている。前記冷凍機構１７は、前記製氷機構１５を構成する蒸発管(図示せず)に冷媒を循環供給するものであり、前記機械室１６の底部に敷設固定される基台１８上に配置されている。具体的には、前記機械室１６の前面側(製氷機本体の手前側)に凝縮器３０が配設され、その奥にファンモータ４０が配設され、最も奥側に圧縮機ＣＭが配設されている。なお、前記機械室１６の前方右側部分には、前後方向に貫通するスリット１９が多数形成されて該機械室１６を開放可能に閉成する前面パネル１１ａが配設されている。また前記機械室１６の右方を構成する側面パネル１１ｂに左右方向に貫通するスリット１９が多数形成されている。そして、ファンモータ４０を駆動することで、前側のスリット１９を介して機械室１６内に吸い込んだ外部空気で凝縮器３０や圧縮機ＣＭを空冷し、熱交換後の空気を右側のスリット１９から外部に吹き出すようになっている。
【０００３】
このような構成の製氷機１０においてファンモータ４０は、稼働率が高く故障頻度が高い点や、省スペースの問題で前記冷凍機構１７が密集している機械室１６内に配設されている点を考えて、簡単に取り外しが可能であることが望まれている。そこで、ファンモータ４０をブラケットに取り付け、このブラケットを基台に対して固定するようにしていた(例えば、特許文献１参照)。
【０００４】
特許文献１に係るファンモータを取り付けたブラケットは、対向する２つの脚部を備え、各脚部の下端には外方に延出する取付フランジが屈曲形成されている。そしてブラケットは、一方の取付フランジを基台に設けたホルダーに差し込んだもとで、他方の取付フランジをネジ部材で該基台に取り付けることで固定されている。また取付フランジは、先端部が所定角度だけ高くなるように傾斜されており、いわゆるスプリング効果を利用してブラケットが基台へ取り付けられている。そのため、ファンモータを取り付けるブラケットの見かけ上の剛性が向上するから、使用時にビビリ振動や、ビビリ音等の異常音の発生が低減される。
【先行技術文献】
【特許文献】
【０００５】
【特許文献１】特開平１１−１９１９４１号公報
【発明の概要】
【発明が解決しようとする課題】
【０００６】
しかし、特許文献１に係るブラケットを用いたファンモータの取付構造では、ビビリ振動およびビビリ音等の異常音の発生源である該ファンモータから離れた前記脚部の下端のみを基台に固定しているため、ファンモータ付近でのビビリ振動やビビリ音等の異常音の発生を充分に低減できない問題が指摘される。
【０００７】
すなわち本発明は、前述した従来の技術に内在している前記課題に鑑み、これを好適に解決するべく提案されたものであって、ファンモータの動作時に発生するビビリ振動やビビリ音等の異常音を低減し得るファンモータの取付構造を提供することを目的とする。
【課題を解決するための手段】
【０００８】
前記課題を克服し、所期の目的を達成するため、請求項１に記載の発明に係るファンモータの取付構造は、
凝縮器を空冷するファンモータを基台へ固定するファンモータの取付構造であって、
前記ファンモータが取り付けられ、前記凝縮器の背面側に前面を当接させて該凝縮器に配設されるシュラウドと、
前記シュラウドの左右両側縁から外側方へ延出する側端片を有し、一方の側端片の後面側には冷媒から水分を除去するドライヤーを取り付け可能であり、また他方の側端片の後面側には冷凍機構中に冷媒をチャージするためのチャージポートを取り付け可能な取付部とを備え、
前記シュラウドが配設された状態で、前記凝縮器を基台に固定するようにしたことを特徴とする。
請求項１に係る発明によれば、ファンモータを取り付けたシュラウドに設けた取付部の左右にドライヤーとチャージポートを夫々取り付けることができる。
【発明の効果】
【０００９】
本発明に係るファンモータの取付構造によれば、ファンモータの動作時に発生するビビリ振動やビビリ音等の異常音を効果的に低減し得る。
【図面の簡単な説明】
【００１０】
【図１】本実施例に係るファンモータの取付構造を採用した製氷機における機械室内に配置される冷凍機構成部品を示す分解斜視図である。
【図２】基台上における凝縮器、ファンモータおよび圧縮機等の取付位置を示す平面図である。
【図３】図２に示す凝縮器、ファンモータおよび圧縮機等を示す正面図である。
【図４】凝縮器にシュラウドを取付固定する様子を説明する側断面図である。
【図５】一体的に固定された凝縮器およびシュラウドを、基台に取付固定する様子を説明する側断面図である。
【図６】一体的に固定された凝縮器およびシュラウドを、基台に取付固定する様子を説明する平面図である。
【図７】従来実施されているファンモータの取付構造を採用した製氷機を、機械室内を開放して示す斜視図である。
【発明を実施するための形態】
【００１１】
次に、本発明に係るファンモータの取付構造につき、好適な実施例を挙げて、添付図面を参照しながら以下説明する。なお、説明の便宜上、図３における図面手前側を製氷機の前側、図面左方向を左側、右方向を右側とする。また、実施例のファンモータの取付構造が実施される製氷機は、基本的に図７に示したものと同一構成であるから、該製氷機の詳細な説明は省略する。
【実施例】
【００１２】
図１は、実施例に係るファンモータの取付構造を採用した製氷機１０における機械室１６内に配置される冷凍機構１７を示す分解斜視図である。また図２は、基台上における凝縮器３０、ファンモータ４０および圧縮機ＣＭ等の取付位置を示す平面図である。更に図３は、冷凍機構１７を示す正面図である。機械室１６内の基本的な構成は、図７に示した従来の機械室１６内と同一で、図１および図２に示す如く、その底部に矩形状の基台１８が敷設固定され、該基台１８上に冷凍機構１７を構成する凝縮器３０、ファンモータ４０、圧縮機ＣＭおよび電装箱ＣＢ等の各種冷凍機構成部品が載置・固定されている。
【００１３】
前記凝縮器３０は、前面パネル１１ａに形成された前記スリット１９から吸い込まれた外部空気との熱交換が容易な機械室１６の前部右側に取付固定されている。そしてこの凝縮器３０は、左右両側下端において外側に向かって略直角に屈曲した一対の脚部３２,３２を備えている。この脚部３２,３２の所要位置には、前記凝縮器３０を基台１８に取り付けるための凝縮器固定穴３２ａ,３２ａが貫設されている。また凝縮器３０の左右両側の後端縁には、外側に向けて延出して後面が平面となっている側端部３４,３４が、該凝縮器３０の全高に亘って形成されている。
【００１４】
前記側端部３４,３４の高さ方向の略中央部には、凝縮器３０に対してシュラウド４２を一体的に固定するために、内ネジを切ったシュラウド固定ネジ穴３４ａ,３４ａが夫々前後方向に沿って設けられている。また、各側端部３４における各シュラウド固定ネジ穴３４ａの上方および下方に離間した位置には、図３に示す如く、凝縮器３０に対してシュラウド４２を取り付けする際の位置決め手段となる位置決め孔部３５,３５が夫々設けられている。この位置決め孔部３５は、後述する位置決め爪部４８が係合する部位であり、該位置決め爪部４８の位置決め部４８ｂの挿通を許容するように形成されている。
【００１５】
前記凝縮器３０を空冷する前記ファンモータ４０は、前記シュラウド４２に取り付けられた状態で、該凝縮器３０の背面側に配設されている(図１および図２参照)。前記シュラウド４２は、合成樹脂等を材質として、前記凝縮器３０を効率よく冷却し得る位置にファンモータ４０を固定する部材であると共に、該凝縮器３０を囲繞して該ファンモータ４０による冷却風を効率的に利用するための部材でもある。また前記シュラウド４２は、ファンモータ４０を囲繞可能な内部寸法に設定された筒状本体４１の上端縁から前方へ延出する上端片４４と、該シュラウド４２の全高に亘って筒状本体４１の左右両側縁から外側方に向かって延出し、前面が平面となっている側端片４６,４６とを備えている(図１参照)。そして前記上端片４４は、前記凝縮器３０の上端部３０ａと略同等の幅を有しており、該上端部３０ａ全体を上方から当接しつつ覆うことが可能なように構成される(図２参照)。また前記側端片４６,４６は、前記凝縮器３０の側端部３４,３４に後方から面接触し得るように構成される(図４参照)。更に、シュラウド４２における筒状本体４１の略中央の後部下端には、後方に突出する係合片(係合部)４９が設けられている。なお、係合片４９の後端部には、略中央部に前方に対して凹んだ陥凹部４９ａが設けられている(図６参照)。
【００１６】
前記側端片４６,４６には、前記凝縮器３０のシュラウド固定ネジ穴３４ａ,３４ａに対応した位置に前後に貫通するシュラウド固定穴４６ａ,４６ａが夫々設けられている。また各側端片４６は、前記凝縮器３０の位置決め孔部３５,３５に対応した位置に、凝縮器３０に対してシュラウド４２を取り付けする際の位置決め手段となる位置決め爪部４８,４８が設けられている(図１および図３参照)。
【００１７】
前記位置決め爪部４８は、図４に示す如く、前記側端片４６から前記側端部３４の厚さ分だけ前方に延設される延出部４８ａと、この延出部４８ａの前端から下方に突出する位置決め部４８ｂとから構成されている。すなわち位置決め爪部４８は、側方からみて上下逆のＬ字状となっている。
【００１８】
また前記各側端片４６には、ドライヤー５１やチャージポート５２といった冷凍機構１７の構成部品を取り付ける取付部５０が設けられている。本実施例の場合、前記シュラウド４２の右側の側端片４６の後面に設けられた取付部５０に、冷媒から水分を除去するドライヤー５１が、また左側の側端片４６の後面に設けられた取付部５０に、外部から冷凍機構１７中に冷媒をチャージするチャージポート５２が取り付けられている(図２参照)。前記取付部５０は、合成樹脂製のシュラウド４２に一体的に成形されており、その材質故に弾性変形が可能であり、何れも構成部品を着脱自在に嵌合して取付可能な構造となっている。
【００１９】
このような構造の前記シュラウド４２は、前記凝縮器３０を後方から覆うように一体的に取付固定されている。具体的な凝縮器３０およびシュラウド４２の取付固定は、前記位置決め孔部３５および位置決め爪部４８と、前記シュラウド固定ネジ穴３４ａ、シュラウド固定穴４６ａおよび該シュラウド固定ネジ穴３４ａに螺合するシュラウド固定ネジ２６とによって達成される。そしてこの取付固定によって前記凝縮器３０の上端部３０ａには、上方からシュラウド４２の上端片４４が覆うように当接し、該凝縮器３０の両側端部３４,３４には後方から該シュラウド４２の側端片４６,４６が当接して面接触する状態となる(図２および図３参照)。すなわち、前記位置決め孔部３５に後方から挿通された位置決め爪部４８が、位置決め孔部３５の下側の縁部に係合すると共に、側端部３４および側端片４６が当接して連通した両穴３４ａ,４６ａに対し、シュラウド固定穴４６ａに挿通したシュラウド固定ネジ２６が該シュラウド固定ネジ穴３４ａに螺合される。
【００２０】
前記基台１８は、所要厚さの金属板の端縁部に屈曲加工を施した略矩形の部材である。この基台１８には、図１に示す如く、前記機械室１６の前部右側に凝縮器３０を取付固定するための凝縮器固定ネジ穴２２,２２と、シュラウド４２を取り付けるための取付爪部(被係合部)２４とが設けられている。ここで、前記凝縮器固定ネジ穴２２,２２は、前記凝縮器３０を基台１８に取付固定する際の両脚部３２,３２の凝縮器固定穴３２ａ,３２ａの位置に対応して設けられる。また凝縮器固定ネジ穴２２,２２には、内ネジが切られている。
【００２１】
前記取付爪部２４は、前記基台１８の所要部位を切り起こして設けたものである。前記取付爪部２４は、側方からみて先端が前方を指向したＬ字状に形成されており、一体的に固定した(以下、単に一体化と云う)凝縮器３０およびシュラウド４２を基台１８に取り付ける際に、該シュラウド４２の係合片４９と係合するようになっている。具体的に取付爪部２４は、前記基台１８から係合片４９における係合部分の厚さ分だけ上方に延設される押さえ部２４ａと、この押さえ部２４ａ上端から前方に突出する先端部２４ｂとから構成されている。ここで、前記先端部２４ｂの先端は、所要角度上方に傾斜した状態で屈曲されている。また押さえ部２４ａの幅は、前記陥凹部４９ａの幅と略同等に設定されている。
【００２２】
そして、一体化した前記凝縮器３０およびシュラウド４２は、(１)前記凝縮器固定ネジ穴２２、凝縮器固定穴３２ａおよび該凝縮器固定ネジ穴２２に螺合する凝縮器固定ネジ２８と、(２)前記取付爪部２４および係合片４９とによって前記基台１８に取付固定される。ここで、(１)凝縮器固定ネジ穴２２、凝縮器固定穴３２ａおよび凝縮器固定ネジ２８は、一体化した凝縮器３０およびシュラウド４２における凝縮器３０を基台１８に固定する手段である。すなわち前記凝縮器３０は、該凝縮器３０を両脚部３２,３２の凝縮器固定穴３２ａ,３２ａと、両凝縮器固定ネジ穴２２,２２とを連通するように基台１８上に載置して、該脚部３２の上方から凝縮器固定ネジ２８を凝縮器固定ネジ穴２２に螺合させることで該基台１８に固定される。また、(２)前記取付爪部２４および係合片４９は、一体化した凝縮器３０およびシュラウド４２におけるシュラウド４２を基台１８に固定する手段である。すなわち前記シュラウド４２は、前記取付爪部２４に対して前方から係合片４９を係合させることで前記基台１８に固定される。
【００２３】
(実施例の作用)
次に、前述のように構成された実施例のファンモータの取付構造の作用について説明する。なお、前記凝縮器３０、シュラウド４２および基台１８は、夫々取付固定されていない状態にあるとする。
【００２４】
先ず、図４に示すように前記凝縮器３０に対してシュラウド４２を位置決めすべく、４つの位置決め爪部４８における位置決め部４８ｂを、位置決め孔部３５を介して側端部３４の後ろ側から前側へ挿通させる。このとき、前記位置決め部４８ｂは下方に突出して形成されているため、前記両側端片４６,４６は、凝縮器３０に取付固定される位置よりも少し高い位置で両側端部３４,３４に当接する(図４(ａ)参照)。この状態からシュラウド４２を下げれば、各位置決め爪部４８における延出部４８ａの下面が前記位置決め孔部３５の下縁部に当接して上下方向の位置決めされると共に、位置決め部４８ｂが側端部３４に係合して前後方向の位置決めがなされる。またシュラウド４２の上端片４４が、前記凝縮器３０の上端部３０ａに覆うように当接する(図４(ｂ)参照)。
【００２５】
この状態において、前記凝縮器３０のシュラウド固定ネジ穴３４ａとシュラウド４２のシュラウド固定穴４６ａとは連通する位置関係となるので、後方からシュラウド固定ネジ２６を該固定ネジ穴３４ａに螺合すれば、前記シュラウド４２(ファンモータ４０)は凝縮器３０を後方から覆うように一体化される。このとき、凝縮器３０の上端部３０ａの略全体にシュラウド４２の上端片４４が上方から当接し、また側端片４６,４６の略全体が側端部３４,３４に後方から面接触状態で当接して固定される。従って、凝縮器３０とシュラウド４２との固定は非常に強固なものとなる。また前記凝縮器３０は、基本的に剛性の高い部材であるので、これに一体化したシュラウド４２も見かけ上の剛性が向上してファンモータ４０の動作によるビビリ振動やビビリ音等の異常音を効果的に低減し得る。なお、図４においてファンモータ４０は省略されている。
【００２６】
次に、一体化された前記凝縮器３０およびシュラウド４２を、前記基台１８に取付固定する場合を説明すると、図５(ａ)および図６に示す如く、該シュラウド４２の係合片４９を取付爪部２４に係合させるように前方から移動させる。このように係合片４９を取付爪部２４に係合させると、最終的に前記陥凹部４９ａに取付爪部２４が入り込んで、押さえ部２４ａの前端に当接する。ここで、前記先端部２４ｂの先端は、所要角度上方に傾斜しているので、係合片４９の取付爪部２４への係合はスムーズになされる。
【００２７】
また、前記基台１８の上面と先端部２４ｂの下面との間の距離は、係合片４９における係合部分の厚さと略同等に設定されているため、該係合片４９を取付爪部２４に係合させたシュラウド４２の上方向へのずれは好適に抑制される(図５(ａ)参照)。更に、前記押さえ部２４ａの幅と、陥凹部４９ａの幅とは略同等に設定されているため、前記シュラウド４２の左右方向へのずれも好適に防止される(図６参照)。そして、前記係合片４９を取付爪部２４に係合させることで、凝縮器固定ネジ穴２２,２２の位置と、両凝縮器固定穴３２ａ,３２ａの位置とが一致する。
【００２８】
この状態において、上方から各凝縮器固定穴３２ａに連通した凝縮器固定ネジ２８を凝縮器固定ネジ穴２２に螺合することで、一体化された凝縮器３０とシュラウド４２(ファンモータ４０)とが前記基台１８に固定される。そして、前記シュラウド４２における各取付部５０に、対応してドライヤー５１およびチャージポート５２を取り付ける。なお、図５および図６においてファンモータ４０は省略されている。
【００２９】
前記シュラウド４２の上端片４４が該凝縮器３０の上端部３０ａを上方からが覆うように当接し、該シュラウド４２の側端片４６,４６が該凝縮器３０の両側端部３４,３４を後方から当接してなされる該凝縮器３０とシュラウド４２との固定は、固定箇所が多くかつ分散して存在しているため、安定度が高く、ビビリ振動やビビリ音の異常音を大きく低減し得る効果を奏する。
また、後面が平面となっている側端部３４,３４と、前面が平面となっている側端片４６,４６とが面接触状態で当接するので、凝縮器３０とシュラウド４２との固定は非常に強固なものとし得る効果を奏する。また、前記基台１８の上面と先端部２４ｂの下面との間の距離は、係合片４９における係合部分の厚さと略同等に設定され、
更に、押さえ部２４ａの幅と、陥凹部４９ａの幅とは略同等に設定されているため、該係合片４９を取付爪部２４に係合させたシュラウド４２の上方向および左右方向へのずれは好適に抑制される。このずれの防止により、一体化した凝縮器３０およびシュラウド４２と基台１８との固定が容易となる効果を奏する。
また更に、前期位置決め爪部４８における延出部４８ａの下面が、位置決め孔部３５の下縁部に当接して上下方向の位置決めされると共に、位置決め部４８ｂが側端部３４に係合して前後方向の位置決めがなされるため、凝縮器３０とシュラウド４２との固定が容易となる効果を奏する。
【００３０】
また、前記シュラウド４２に各種冷凍機構成部品を取り付ける取付部５０を設けることで、以下の作用を奏する。すなわち、(ａ)前記冷凍機構成部品を固定する固定具に係る部品点数を省略し得る、(ｂ)冷凍機構１７全体がシュラウド４２の剛性向上に資するため、該シュラウド４２のビビリ振動やビビリ音の異常音を低減し得る、(ｃ)取付部５０への冷凍機構成部品嵌合の取り付けは嵌合等でなされているので、該冷凍機構成部品の着脱が容易に可能となる。
【００３１】
(変更例)
本願は前述した実施例の構成に限定されるものではなく、その他の構造を適宜に採用することができる。
(１)実施例では、側端部３４,３４および側端片４６,４６は夫々対向する面を平面形状としていたが、例えば規則的な凹凸等のように、側端部３４,３４と側端片４６,４６とが当接した際に、面的接触が達成される対応した形状であれば、如何なる形状でも採用可能である。
(２)実施例では、凝縮器３０の両脚部３２,３２は、何れも凝縮器固定ネジ２８,２８で固定されていたが、両脚部３２,３２の何れか一方の基台１８に対する取り付けを、例えば取付爪部２４と係合片４９とのように係合で実施するようにしてもよい。この場合、一体化した凝縮器３０およびシュラウド４２の基台１８への着脱が容易となる。
(３)実施例では、シュラウド４２の係合片４９は、略中央下端部に１つだけ後方に突設されているが、例えばシュラウド４２の下端部左右両側に離間する等して複数設けてもよい。この場合、一体化した凝縮器３０およびシュラウド４２の基台１８への取り付けの容易性を損なわず、かつ基台１８に対する固定性を高めて、更にファンモータの動作時に発生するビビリ振動やビビリ音等の異常音を効率的に低減し得る。
(４)実施例では、位置決め爪部４８は、合計で４カ所設けられているが、その数を適宜変更してもよい。
(５)実施例では、シュラウド固定ネジ穴３４ａに内ネジを切って、該固定ネジ穴３４ａにシュラウド４２のシュラウド固定穴４６ａに挿通したシュラウド固定ネジ２６を螺合しているが、例えば内ネジを前記シュラウド固定穴４６ａ側に切ったり、または該シュラウド固定ネジ穴３４ａおよびシュラウド固定穴４６ａを共に単なる貫通穴として、凝縮器３０の前方またはシュラウド４２の後方の一方からボルト等を挿通して、他方側でナット等により締結するようにしてもよい。
(６)実施例では、凝縮器固定ネジ穴２２に内ネジを切って、ここに凝縮器３０の凝縮器固定穴３２ａを介して凝縮器固定ネジ２８を螺合しているが、例えば公知の締結手段を用いて固定してもよい。
【符号の説明】
【００３２】
１７  冷凍機構、１８  基台、３０  凝縮器、  ４０  ファンモータ、
４２  シュラウド、４６  側端片、５０  取付部、５１  ドライヤー、
５２  チャージポート
【図１】
0005367794.tif 000002
【図２】
0005367794.tif 000003
【図３】
0005367794.tif 000004
【図４】
0005367794.tif 000005
【図５】
0005367794.tif 000006
【図６】
0005367794.tif 000007
【図７】
0005367794.tif 000008